(57)【要約】【課題】洗髪後の頭髪の水分をより効果的に吸収してより迅速に髪を乾燥させることができ、また、髪の乾燥と同時に頭皮のマッサージ効果を得ることができる吸水手袋を得る。【解決手段】手を挿入することができる空間を有し、手のひらに対応する部分は、手のひらに接する部分の防水シート２と、外表面を構成する吸水紙３と、防水シート２と吸水紙３との間に充填された吸水ポリマー４を有する。手の甲に対応する部分は給水紙１で構成し、手のひらに対応する部分でありかつ手指に対応する部分に、吸水ポリマー４が充填された隆起部５を設けるとよい。【選択図】図１
0003113386.tif 000002
【実用新案登録請求の範囲】
【請求項１】
手を挿入することができる空間を有し、
手のひらに対応する部分は、手のひらに接する部分の防水シートと、外表面を構成する吸水紙と、上記防水シートと吸水紙との間に充填された吸水ポリマーを有することを特徴とする吸水手袋。
【請求項２】
手の甲に対応する部分は給水紙からなる請求項１記載の吸水手袋。
【請求項３】
手のひらに対応する部分でありかつ手指に対応する部分に、吸水ポリマーが充填された隆起部が設けられている請求項１記載の給水手袋。
【考案の詳細な説明】
【技術分野】
【０００１】
本考案は、例えば、洗髪後の髪の乾燥を速めることができ、また、マッサージ効果も得ることができる吸水手袋に関するものである。
【背景技術】
【０００２】
洗髪後の髪を乾燥させるために、通常、まず髪の水分をタオルで拭き取り、次にドライヤーを使用しているが、タオルによる水分の拭き取りは不十分で、髪がまだ濡れているため、ドライヤーを長時間使用しなければ完全に乾燥させることはできない。
【０００３】
そこで、洗髪後の髪を速く確実に乾かすために、吸水性の高い材質からなる手袋が提案されている（例えば、特許文献１参照）。この手袋を手に嵌め、この手袋で髪および頭皮を拭きながらドライヤーで髪を乾かせば、速く髪を乾かすことができるというものである。
【０００４】
別の従来技術として、撥水性繊維糸と吸水性繊維糸を糸編みし、外表面全体に撥水性繊維糸を表出させ、内面全体に吸水性繊維糸を表出させた手袋が提案されている（例えば、特許文献２参照）。この考案は、使用中に付着した水分をはじき、使用者が使用中にかいた汗を吸収し、快適な装着感が得られる手袋を提供しようとするもので、洗髪後の髪を速く乾燥させるためのものではない。
【０００５】
【特許文献１】特開２００２−３３６０３４号公報
【特許文献２】特開２００１−２７９５０７号公報
【考案の開示】
【考案が解決しようとする課題】
【０００６】
特許文献１記載の考案は、洗髪後の髪を速く乾燥させることができる手袋を提供するという点では本願考案と共通の目的のものであるが、その構成は、単に手袋の材質を吸水性の高い材質にするというに過ぎず、構成上の特別な工夫があるわけではなく、それほど多くの吸水量を期待することはできないから、頭髪の乾燥効果もそれほど期待することはできない。特許文献２記載の考案は、外表面に現れる繊維糸と内面に現れる繊維糸を区別する点で工夫が見られるが、洗髪後の髪を速く乾燥させるという目的はない。
【０００７】
本考案は、以上のような従来技術に鑑みてなされたもので、洗髪後の頭髪の水分をより効果的に吸収してより迅速に髪を乾燥させることができ、また、髪の乾燥と同時に頭皮のマッサージ効果を得ることができる吸水手袋を提供することを目的とする。
【課題を解決するための手段】
【０００８】
本考案は、手を挿入することができる空間を有し、手のひらに対応する部分は、手のひらに接する部分の防水シートと、外表面を構成する吸水紙と、上記防水シートと吸水紙との間に充填された吸水ポリマーを有することを最も主要な特徴とする。
手の甲に対応する部分は給水紙で構成するとよい。
手のひらに対応する部分でありかつ手指に対応する部分に、吸水ポリマーが充填された隆起部を設けるとなおよい。
【考案の効果】
【０００９】
手のひらに対応する部分は、防水シート、吸水紙、吸水ポリマーからなり、特に吸水ポリマーを有しているため、十分な吸水量を確保することができ、頭髪および頭皮の水分を効率的にかつ十分な水分量を吸着し、ドライヤーの使用とあいまって頭髪の迅速な乾燥を実現することができる。手のひらに接する部分は防水シートからなっているため、手のひらが濡れることがなく、使用感が損なわれるのを防止することができる。
手のひらに対応する部分でありかつ手指に対応する部分に、吸水ポリマーが充填された隆起部を設けることにより、この隆起部に充填する分だけ吸水ポリマーの量を増やすことができ、その分吸水量が増え、頭髪のさらに迅速な乾燥を実現することができる。また、髪を乾燥させながら上記隆起部で頭皮をマッサージすることもでき、頭皮の血行を促進して頭皮の健康を維持することができる。
【考案を実施するための最良の形態】
【００１０】
以下、本考案にかかる吸水手袋の実施例について図面を参照しながら説明する。
図１は、人間の手の形に対応して作られた吸水手袋の実施例を示しており、５本の手指に対応して形成された５本の手指挿入部９と、手を挿入するための開口部８と、手のひらと手の甲を包み込む空間、換言すれば、手を挿入することができる空間を有している。
【００１１】
図２にも示すように、手のひらに対応する部分は、手のひらに接する部分の防水シート２と、外表面を構成する吸水紙３と、上記防水シート２と吸水紙３との間の空間に充填された吸水ポリマー４を有してなる。一方、手の甲に対応する部分は給水紙１からなる。符号６は手袋の輪郭を示しており、この輪郭６をなす部分において、上記給水紙１、防水シート２、吸水紙３の縁部が重なり合い、これら給水紙１、防水シート２、吸水紙３の縁部が適宜の手段、例えば、熱圧着、熱溶着、接着などによって固着され、吸水ポリマー４が封止されている。また、吸水紙３の下端縁部は防水シート２と開口部８の近くで重なり、この重なり部７において、適宜の手段、例えば熱圧着、熱溶着、両面接着テープの介在などによって相互に固着され、吸水ポリマー４が封止されている。
【００１２】
手のひらに対応する部分でありかつ手指に対応する各手指挿入部９には、吸水ポリマー４が充填された隆起部５が設けられている。隆起部５は、あらかじめ吸水紙３をプレス成形するなどの手段で形成し、ここに吸水ポリマー４を充填することによって上記のように構成することができる。あるいは、隆起部５のみを別に作っておき、これを各手指挿入部９に接着してもよい。この場合、たとえば、吸水紙３で吸水ポリマー４を包み込むことにより隆起部５のみを別に作ることができる。給水紙１、３は、例えば、キッチンペーパーあるいはキッチンタオルとして使用されている素材と同様の素材を使用することができる。吸水ポリマー４は、例えば、使い捨ての紙おむつ、生理用品などに使用されている吸水ポリマーと同様の素材を使用することができる。また、防水シート２は、例えば、使い捨ての紙おむつ、生理用品などに使用されている防水シートと同様の素材を使用することができる。
【００１３】
以上説明した実施例にかかる吸水手袋は、これに手を挿入して使用する。５本の手指は各手指挿入部９に挿入する。各手指挿入部９および手のひらに対応する部分で、洗髪後の頭髪をなぞると、給水紙３を通して給水ポリマー４が頭髪および頭皮の水分を吸着し、例えば、バスタオルで頭髪を拭くよりも多くの水分を効率的に吸着することができる。あるいは、バスタオルなどであらかた水分を拭き取ったあとに上記実施例にかかる吸水手袋で残りの水分を吸着すれば、より効果的に頭髪および頭皮の水分を除去することができる。さらに、ドライヤーによる乾燥と上記実施例にかかる吸水手袋による吸水とを併用すれば、さらに効果的に頭髪および頭皮の水分を除去することができる。
【００１４】
各手指挿入部９には隆起部５が形成され、この隆起部５にも吸水ポリマー４が充填されているため、吸水ポリマー４の容量が増加し、吸水量が増加するため、さらに効果的に頭髪および頭皮の水分を除去することができる。併せて、隆起部５を頭皮に押し付けるようにして使用することにより、頭皮のマッサージ効果を得ることができ、頭皮の血行をよくして、頭皮および頭髪の健康維持に役立たせることができる。防水シート２があることによって手のひらが濡れるのを防止し、手のひらが濡れることによる不快感を防止することができる。
【００１５】
本考案にかかる吸水手袋は、使い捨てとしてもかまわないが、乾燥させることによって再使用が可能な吸水ポリマーと吸水紙を使用すれば、繰り返し使用することができる。
【図面の簡単な説明】
【００１６】
【図１】本考案にかかる吸水手袋の実施例を一部切り欠いて示す正面図である。
【図２】図１中の線Ａ−Ａに沿う断面図である。
【符号の説明】
【００１７】
１    吸水紙
２    防水シート
３    吸水紙
４    吸水ポリマー
５    隆起部
【図１】
0003113386.tif 000003
【図２】
0003113386.tif 000004
【手続補正書】
【提出日】平成17年6月14日(2005.6.14)
【手続補正１】
【補正対象書類名】実用新案登録請求の範囲
【補正対象項目名】全文
【補正方法】変更
【補正の内容】
【実用新案登録請求の範囲】
【請求項１】
手を挿入することができる空間を有し、
手のひらに対応する部分は、手のひらに接する部分の防水シートと、外表面を構成する吸水紙と、上記防水シートと吸水紙との間に充填された吸水ポリマーを有することを特徴とする吸水手袋。
【請求項２】
手の甲に対応する部分は給水紙からなる請求項１記載の吸水手袋。
【請求項３】
手のひらに対応する部分でありかつ手指に対応する部分に、吸水ポリマーが充填された隆起部が設けられている請求項１記載の吸水手袋。